(57)【要約】【課題】発光部の発光状態の設定時における操作性を向上させ、誤りのない設定が可能なストロボ装置を提供すること。【解決手段】Ａ灯４ａとＢ灯４ｂの左右２灯の発光比率を表示パネル１３上に表示する際に、Ａ灯４ａとＢ灯４ｂの左右２灯の発光比率を実際の数値として示す数値表示１３ｃと、Ａ灯４ａとＢ灯４ｂの左右２灯の発光比率をバー表示として示す指標表示１３ｄとを同時に行うようにする。これにより、Ａ灯４ａとＢ灯４ｂの左右２灯の発光比率をまず直感的に理解することができ、さらに実際の数値も知ることができる。【選択図】      図５
2005215366.tif 000002
【特許請求の範囲】
【請求項１】
カメラ本体に着脱自在なコントロール部と、上記コントロール部によって発光制御される２つの発光部とを備えるストロボ装置において、
上記２つの発光部の発光比率を設定する発光比率設定手段と、
上記発光比率設定手段で設定された発光比率を指標表示と数値表示とで表現する表示手段と、
を具備することを特徴とするストロボ装置。
【請求項２】
上記指標表示は、複数のドットで表されるバー表示により行うことを特徴とする請求項１に記載のストロボ装置。
【請求項３】
上記表示手段は、上記２つの発光部の合成発光量を更に表示することを特徴とする請求項１に記載のストロボ装置。
【発明の詳細な説明】
【技術分野】
【０００１】
本発明はストロボ装置に関し、特に、複数の発光部を有し、それぞれの発光部の発光状態を適宜設定可能なストロボ装置に関する。
【背景技術】
【０００２】
カメラのストロボ装置の中には、複数の発光部の発光量の比、所謂発光比率や、複数の発光部の発光量といった発光部の発光状態を設定することができるものが提案されている。例えば、特許文献１では、複数グループの発光部の発光比率を設定でき、設定した発光比率が、液晶表示器上に表示されたマークにより視覚的に認識できるストロボシステムが提案されている。このように複数の発光部の発光比率を設定可能とすることにより、被写体に対して適切な陰影を施したストロボ撮影が可能である。
【特許文献１】特開２０００−８９３０５号公報
【発明の開示】
【発明が解決しようとする課題】
【０００３】
しかしながら、ユーザが手動で発光部の発光状態を設定する場合、特に、ストロボの自動調光が行われない、所謂「マニュアル発光モード」においてユーザが手動で発光部の発光状態を設定する場合等においては、設定方法がユーザにとって分かりやすいものが少なく、またその操作性も余り考慮されてはいない。このため、ユーザが、設定に戸惑ったり、時には誤った設定を行ったりしてしまうおそれがある。上記特許文献１においても、このような設定時における操作性については、特に言及されていない。
【０００４】
本発明は、上記の事情に鑑みてなされたもので、発光部の発光状態の設定時における操作性を向上させ、誤りのない設定が可能なストロボ装置を提供することを目的とする。
【課題を解決するための手段】
【０００５】
上記の目的を達成するために、本発明の第１の態様によるストロボ装置は、カメラ本体に着脱自在なコントロール部と、上記コントロール部によって発光制御される２つの発光部とを備えるストロボ装置において、上記２つの発光部の発光比率を設定する発光比率設定手段と、上記発光比率設定手段で設定された発光比率を指標表示と数値表示とで表現する表示手段とを具備することを特徴とする。
【０００６】
この第１の態様によれば、発光比率を数値表示と指標表示とで表現しているので、設定された発光比率を直感的に理解することができると共に実際の数値としても容易に理解することができ、発光部の発光比率の設定が容易になる。
【発明の効果】
【０００７】
本発明によれば、発光部の発光状態の設定時における操作性を向上させ、誤りのない設定が可能なストロボ装置を提供することができる。
【発明を実施するための最良の形態】
【０００８】
以下、本発明の実施形態を図面を参照して説明する。  
図１は、本発明の一実施形態に係るストロボ装置と、このストロボ装置を着脱自在なカメラ１００の外観斜視図である。なお、カメラ１００についてはストロボ装置を装着するための機構（例えばホットシュー機構等）があれば特に限定されるものではなく、また、その内部構成も従来周知のものを用いればよい。したがって、以後はストロボ装置のみについて説明する。
【０００９】
即ち、本発明の一実施形態に係るストロボ装置は、ストロボ用の充電制御や発光制御等を行うコントロール部１に設けられた接続部２ａ及び接続部２ｂに、マクロツインストロボ発光部４を装着することで構成される。なお、コントロール部１には、マクロツインストロボ発光部４以外の発光部を装着することも可能であるが、以後はコントロール部１にマクロツインストロボ発光部４が装着されているとして説明を続ける。
【００１０】
ここで、マクロツインストロボ発光部４には、発光部が２つ（それぞれＡ灯４ａ，Ｂ灯４ｂと称する）設けられている。これらは、同時にコントロール部１に装着することも、何れか一方のみを装着することもできる。特に、これら２つの発光部を同時に装着した場合には、Ａ灯４ａとＢ灯４ｂの左右２つの発光状態をそれぞれ設定して、２つの発光部を発光させることができる。具体的には、本一実施形態では、Ａ灯４ａとＢ灯４ｂの左右２つの発光比率、及びＡ灯４ａとＢ灯４ｂの左右２つの合成発光量を設定することができる。これらの設定については、後で詳細に述べる。
【００１１】
図２は、コントロール部１と、Ａ灯４ａ、Ｂ灯４ｂから構成されるストロボ装置の内部構成を示すブロック図である。なお、図２に示した構成は、本一実施形態について説明するための最低限の構成を図示したものであり、必要に応じて図２の構成に他の構成を追加しても良い。
【００１２】
図２において、Ａ灯４ａとＢ灯４ｂとは、それぞれ、発光管と発光回路とから構成されている。これら発光管及び発光回路は、従来周知の構成を用いればよく、また、本一実施形態の本質とも異なるので、ここでは、簡単に説明する。発光管は、ストロボ発光用の発光管であり、例えばキセノン放電管が用いられる。また、発光回路は、発光管を放電発光させるためのトリガ回路等から構成されており、コントロール部１からの発光指示に応じて所定の発光量で発光管を放電発光させる。
【００１３】
次に、コントロール部１について説明する。コントロール部１の内部には、コントロール部１を含むストロボ装置全体の制御を行うＣＰＵ１１が設けられている。即ち、ＣＰＵ１１は、ユーザによる各種操作部材の操作等に応じて発光制御回路１２を制御したり、液晶表示回路１３の表示を制御したりする。
【００１４】
発光制御回路１２は、電源電圧を所定の高電圧まで昇圧する昇圧回路や、昇圧された電圧に基づいてストロボ発光用のエネルギーを充電する充電回路等から構成されている。ここで、充電回路は、Ａ灯４ａを発光させるためのエネルギーを蓄積するコンデンサとＢ灯４ｂを発光させるためのエネルギーを蓄積するコンデンサの、２つのコンデンサを備えており、それぞれのコンデンサを独立して充電することができるようになっている。
【００１５】
表示手段としての液晶表示回路１３は、コントロール部１の背面に設けられた外部液晶表示パネル（以下、表示パネルと称する）と、この表示パネルの表示制御を行う表示制御回路等から構成されており、ＣＰＵ１１の制御に従って各種表示を行う。この表示については、後で詳述する。
【００１６】
入力スイッチ群１４は、コントロール部１の背面に設けられた各種操作部材の操作状態によってＯＮ/ＯＦＦするスイッチ群である。ここで、コントロール部１の背面に設けられる操作部材としては、Ａ灯４ａとＢ灯４ｂの左右２つの発光比率を設定する発光比率設定手段としてのセレクトダイヤル１５、Ａ灯４ａとＢ灯４ｂの左右２つの合成発光量を設定するセレクトダイヤル１６、ストロボのモードを自動発光（TTL AUTO）モードとマニュアル発光（MANUAL）モードとの間で切り換えるためのモード（MODE）釦１７、図示しないＡＦ用の補助光源を発光させるためのランプ（LAMP）釦１８、テスト発光を行うためのテスト（TEST）釦１９ａ、ストロボ装置の電源をＯＮ/ＯＦＦするためのＯＮ/ＯＦＦ釦２０、外部液晶表示パネルのバックライトを点灯/消灯するためのライト（LIGHT）釦２１等がある。なお、上記セレクトダイヤル１５，１６の回転量は、ユーザによるセレクトダイヤル１５，１６の回転操作量に応じたパルスを出力するエンコーダから出力されたパルス数をＣＰＵ１１がカウントすることによって検出される。ただし、これは周知の技術であるので、詳細な説明は省略する。
【００１７】
また、チャージ（CHARGE）表示用ランプ１９ｂは、ストロボ発光用の充電が完了したことをユーザに通知するためのランプであり、オートチェック（AUTOCHECK）表示用ランプ２２は、AUTOモードが正常に動作していることをユーザに通知するためのランプである。
【００１８】
ここで、本一実施形態では、手動によりＡ灯４ａとＢ灯４ｂのそれぞれの発光状態を設定する際の操作性を向上させるために、セレクトダイヤル１５，１６の配置と、表示パネル１３の表示を工夫している。
【００１９】
図３は、コントロール部１の背面図である。図３に示すように、コントロール部１の背面には、上記した表示パネル１３と、セレクトダイヤル１５、セレクトダイヤル１６、MODE釦１７、LAMP釦１８、TEST釦１９ａ、ＯＮ/ＯＦＦ釦２０、LIGHT釦２１といった各種操作部材と、CHARGE表示用ランプ１９ｂ、AUTOCHECK表示用ランプ２２といった各種表示ランプとが露出配置されている。ここで、図３においては、TEST釦１９ａとCHARGE表示用ランプ１９ｂを符号１９で示すようにして兼用できるようにしている。即ち、TEST釦１９ａを光透過性の部材で構成しておき、更にCHARGE表示用ランプ１９ｂをTEST釦１９ａの裏に配置するようにしておくことで、CHARGE表示用ランプ１９ｂの発光光がTEST釦１９ａを介して視認できるようになっている。勿論、TEST釦１９ａとCHARGE表示用ランプ１９ｂとを別々に配置するようにしても良い。
【００２０】
ここで、本一実施形態では、Ａ灯４ａとＢ灯４ｂの左右２つの発光比率を設定するセレクトダイヤル１５とＡ灯４ａとＢ灯４ｂの左右２つの合成発光量を設定するセレクトダイヤル１６とを、図３に示すように、コントロール部１の背面下部の水平方向に対して並列に配置するようにしている。即ち、セレクトダイヤル１５は、ユーザが図４のようにしてカメラ本体を両手で構えたときの、ユーザの左手親指の位置に配置されている。また、セレクトダイヤル１６は左手親指を少しずらすのみで容易に届く位置に配置されている。
【００２１】
このようにセレクトダイヤル１５，１６を配置することにより、ユーザはカメラ本体を構え直すことなく、容易にセレクトダイヤル１５，１６を操作することが可能である。また、本一実施形態のように、セレクトダイヤル１５，１６をコントロール部１の背面に配置したことにより、例えばマクロ撮影等でカメラ本体を下向きにして撮影を行うような場合でも、セレクトダイヤル１５，１６を操作しやすい。また、表示パネル１３もコントロール部１の背面に設けているので、カメラ本体を下向きにした状態でも表示を見ることができる。
【００２２】
更に、Ａ灯４ａとＢ灯４ｂの左右２つの発光比率を設定するセレクトダイヤル１５とＡ灯４ａとＢ灯４ｂの左右２つの合成発光量を設定するセレクトダイヤル１６という２つの回転操作部材を設けることにより、Ａ灯４ａとＢ灯４ｂの左右２つの発光状態を設定する際に、Ａ灯４ａとＢ灯４ｂの左右２つの発光量の比率を変えるという感覚的に分かりやすい方法で設定を行うことができ、Ａ灯４ａとＢ灯４ｂの左右２つの発光量をそれぞれ設定するよりも、Ａ灯４ａとＢ灯４ｂの左右２つの発光状態の設定の方法がユーザにとって分かりやすいものとなる。また、その操作方法もダイヤルを回転させるだけの簡単なものであるので、ユーザが操作に戸惑ってしまうような可能性も少ない。
【００２３】
次に、ユーザが実際にＡ灯４ａとＢ灯４ｂの左右２つの発光比率を設定する際に表示パネル１３になされる表示ついて説明する。なお、以下に説明する例は、コントロール部１に装着されている発光部がマクロツインストロボ発光部４であり、ストロボモードがMANUALモードの場合である。
【００２４】
図５（ａ）はＡ灯４ａとＢ灯４ｂの左右２つの発光比率の設定時の初期状態において表示パネル１３になされる表示について示す図である。なお、本一実施形態においては、初期状態のＡ灯４ａとＢ灯４ｂの左右２つの発光比率がＡ灯：Ｂ灯＝１：１であり、初期状態の発光量（ここではＡ灯４ａとＢ灯４ｂの左右２つの合成発光量）がＡ灯４ａとＢ灯４ｂを共にフル発光させた時の１/４の発光量である。
【００２５】
このような初期状態において、表示パネル１３には、発光部表示１３ａ、ストロボモード表示１３ｂ、発光比率表示１３ｃ，１３ｄ、及び光量比表示１３ｅがなされる。ここで、発光部表示１３ａは、コントロール部１に装着されている発光部の種類を示す表示であり、ストロボモード表示１３ｂは、現在のストロボモードを示す表示ある。また、発光比率表示１３ｃ，１３ｄは、Ａ灯４ａとＢ灯４ｂの左右２つの発光比率を示す表示であり、光量比表示１３ｅは、Ａ灯４ａとＢ灯４ｂの左右２つの合成発光量を示す表示である。なお、図５（ａ）では、Ａ灯４ａとＢ灯４ｂの左右２つの合成発光量を、Ａ灯４ａとＢ灯４ｂの２つを共にフル発光させた時の発光量に対する比（フル発光量に対する光量比と称する）として表している。
【００２６】
ここで、本一実施形態においては、Ａ灯４ａとＢ灯４ｂの左右２つの発光比率を、数値表示１３ｃと指標表示１３ｄという２種類の表示形態で表示する。  
数値表示１３ｃは、Ａ灯４ａとＢ灯４ｂの左右２つの発光比率を実際の数値で表した表示である。なお、図５（ａ）の例では、左側の数値がＡ灯４ａを示し、右側の数値がＢ灯４ｂを示す。一方、指標表示１３ｄは、Ａ灯４ａとＢ灯４ｂの左右２つの発光比率を、発光比率の軸表示と３つのドットで構成されるバー表示とで表したグラフィカルな表示である。ここで、図５（ａ）の例では、バー表示の真中のドットが現在のＡ灯４ａとＢ灯４ｂの左右２つの発光比率を示す。なお、バー表示のドット数は３つに限るものではない。
【００２７】
即ち、表示パネル１３上に、数値表示１３ｃだけを行うようにすると、Ａ灯４ａとＢ灯４ｂの左右２つの発光比率が正確な数値として表されるが、この数値で示されるＡ灯４ａとＢ灯４ｂの左右２つの発光比率が実際どの程度の比率なのかを直感的に理解しにくい。一方、指標表示１３ｄだけを行うようにすると、Ａ灯４ａとＢ灯４ｂの左右２つの発光比率がどの程度であるのかを直感的に理解しやすいが、正確なＡ灯４ａとＢ灯４ｂの左右２つの発光比率の数値をユーザに理解させることが困難である。
【００２８】
そこで、本一実施形態では、数値表示１３ｃと指標表示１３ｄとを同時に行うようにして、まず指標表示１３ｄによりＡ灯４ａとＢ灯４ｂの左右２つの発光量のバランスを直感的に理解できるようにし、その後、数値表示１３ｃにより正確なＡ灯４ａとＢ灯４ｂの左右２つの発光比率の数値を確認できるようにしている。これにより、ユーザは、より分かりやすくＡ灯４ａとＢ灯４ｂの左右２つの発光比率の設定を行うことができる。
【００２９】
以上のような表示がなされる初期状態において、ユーザがセレクトダイヤル１５を反時計方向に回転させる、即ち図４の状態においてユーザが左手親指を右側にずらすようにセレクトダイヤル１５を回転させるとＡ灯４ａとＢ灯４ｂの左右２つの発光比率が変化する。このとき、表示上では、図５（ｂ）に示すように、Ａ灯４ａとＢ灯４ｂの左右２つの発光比率のＢ灯側の比率が増加するように数値表示１３ｃの数値が変化し、指標表示１３ｄのバー表示が１ドット分だけ右側に移動する。即ち、本一実施形態では、ユーザの左手親指の操作方向とバー表示の移動方向とを一致させるようにしている。このように、ユーザのダイヤルの操作方向とバーの移動方向とを一致させた表示を行うことにより、ユーザがより直感的に分かりやすくＡ灯４ａとＢ灯４ｂの左右２つの発光比率の設定を行うことができる。
【００３０】
また、ユーザがセレクトダイヤル１６を反時計方向に回転させるとＡ灯４ａとＢ灯４ｂのフル発光量に対する光量比の数値が増加するように、セレクトダイヤル１６を時計方向に回転させた場合には、Ａ灯４ａとＢ灯４ｂのフル発光量に対する光量比の数値が減少するように光量比表示１３ｅの数値が変化するが、ここでは図示を省略している。
【００３１】
また、図５（ｂ）の状態から更にセレクトダイヤル１５を反時計方向に回転させると、Ａ灯４ａとＢ灯４ｂの左右２つの発光比率のＢ灯側の比率が更に増加する。表示上では、図５（ｃ）に示すように、数値表示１３ｃのＢ灯側の数値が更に増加すると共に、指標表示１３ｄのバー表示が更に右方向に移動する。以後、同様にして、セレクトダイヤル１５を順次反時計方向に回転させていくことにより、数値表示１３ｃのＢ灯側の数値が順次増加すると共に、指標表示１３ｄのバー表示が順次右方向に移動する。このような表示は、図５（ｄ）に示すＡ灯：Ｂ灯＝１：８の状態になるまで行われる。
【００３２】
なお、セレクトダイヤル１５を時計方向に回転させた場合には、Ａ灯４ａとＢ灯４ｂの左右２つの発光比率のＡ灯側の比率が増加するように数値表示１３ｃの数値が変化すると共に、指標表示１３ｄのバー表示が１ドット分左側に移動する表示がなされる。
【００３３】
即ち、本一実施形態では、Ａ灯４ａとＢ灯４ｂの左右２つの合成の発光量を維持した状態で、Ａ灯４ａとＢ灯４ｂの左右２つのそれぞれの発光量の比率を変化させたり、逆にＡ灯４ａとＢ灯４ｂの左右２つの発光量の比率を維持した状態で、Ａ灯４ａとＢ灯４ｂの左右２つの合成の発光量を変化させたりすることができるようになっている。このようにして設定されたＡ灯４ａとＢ灯４ｂの左右２つの発光比率及び左右２つの合成発光量に基づいて、Ａ灯４ａとＢ灯４ｂの左右それぞれの発光量（ガイドナンバ）が設定される。
【００３４】
図５（ｄ）の状態で更にセレクトダイヤル１５を反時計方向に回転させると、Ａ灯４ａとＢ灯４ｂの左右２つを同時に発光させる２灯発光から、Ｂ灯４ｂのみを発光させる単灯発光への切り換えが行われる。このときの表示は、図５（ｅ）のようになる。ここで、単灯発光の場合には、Ａ灯４ａとＢ灯４ｂの左右２つの発光比率が存在しないので発光比率表示１３ｃ，１３ｄは非表示となる。
【００３５】
ここで、上記したように、光量比表示１３ｅに表示されているフル発光量に対する光量比はＡ灯４ａとＢ灯４ｂの左右２つをフル発光させたときの発光量を基準とした比であり、Ｂ灯４ｂのみをフル発光させたときの発光量を基準としたものではない。したがって、図５（ａ）〜図５（ｄ）の２灯発光の場合に表示されていた光量比表示を、そのまま図５（ｅ）の単灯発光の場合に適用することはできない。このため、本一実施形態では、２灯発光から単灯発光に移行する際に、光量比表示を、２灯発光の光量比表示から単灯発光の光量比表示に切り換えるようにしている。例えば、図５（ｅ）では、フル発光量に対する光量比が、２灯発光のときの値１/４からＢ灯４ｂの単灯発光のときの値１/２に切り換わる。なお、表示上では１/４から１/２に変化しているが、Ｂ灯４ｂの発光量は２灯発光時の合成発光量と同じである。
【００３６】
このように、本一実施形態では、Ａ灯４ａとＢ灯４ｂの２灯発光のモードからＢ灯４ｂのみの単灯発光のモードへの切り換えを、Ａ灯４ａとＢ灯４ｂの左右２つの発光比率の設定操作と同様の操作により連続的に行えるようにしている。即ち、ユーザが、Ａ灯４ａとＢ灯４ｂの左右２つの発光比率のＢ灯側の比率を増加させた回数が、Ｂ灯側の比率を減少させた回数よりも所定回数より多くなり、本一実施形態におけるＡ灯４ａとＢ灯４ｂの左右２つの発光比率の設定限界の比率に達した後、更にＢ灯側の比率を増加させるのと同じ操作が行われた場合に、Ａ灯４ａとＢ灯４ｂの２灯発光のモードから、Ｂ灯４ｂのみの単灯発光のモードに切り換わる。なお、Ｂ灯４ｂのみの単灯発光のモードからセレクトダイヤル１５を時計方向に回転させることで２灯発光のモードに戻すことも可能である。
【００３７】
なお、以上の説明は、セレクトダイヤル１５を反時計方向に回転させた場合の説明であるが、セレクトダイヤル１５を時計方向に回転させた場合には、Ａ灯４ａとＢ灯４ｂの左右２つの発光比率におけるＡ灯側の比率が増加するように数値表示１３ｃの数値が変化すると共に、指標表示１３ｄのバー表示が１ドット分左側に移動する表示がなされる。また、セレクトダイヤル１６を時計方向に回転させた場合には、フル発光量に対する光量比の数値が増加するように光量比表示１３ｅの数値が変化する。更に、セレクトダイヤル１５を時計方向に回転させることで、Ａ灯４ａのみの単灯発光を行うこともできる。
【００３８】
次に、ユーザによって設定されたＡ灯４ａとＢ灯４ｂの左右２つの発光比率と、Ａ灯４ａとＢ灯４ｂの左右２つの合成発光量との組合せが不適正な場合に、表示パネル１３上に行われる警告表示について説明する。ここで、Ａ灯４ａとＢ灯４ｂの左右２つの発光比率と、Ａ灯４ａとＢ灯４ｂの左右２つの合成発光量との不適正な組合せとは、例えば発光制御回路１２内部のコンデンサの容量によって決まる制御範囲外の組合せや、カメラ１００側の調光センサやＣＣＤ等の性能によって決まる制御範囲外の組合せ等である。
【００３９】
例えば、図６（ａ）に示すように、フル発光量に対する光量比が１/５１２（最小の合成発光量）に設定され、Ａ灯４ａとＢ灯４ｂの左右２つの発光比率がＡ灯：Ｂ灯＝１：８に設定された場合には、Ａ灯４ａとＢ灯４ｂの左右２つの発光比率の数値表示１３ｃ及び指標表示１３ｄが点滅表示する警告表示が行われる。この場合は、Ａ灯４ａとＢ灯４ｂの左右２つの合成発光量が最小に設定されているのでＡ灯４ａとＢ灯４ｂに発光量の差をつけることができず、Ａ灯４ａとＢ灯４ｂを共に最小の発光量で発光させることしかできない状態である。また、図６（ｂ）に示すように、フル発光量に対する光量比が１/１（最大の合成発光量）に設定されＡ灯４ａとＢ灯４ｂの左右２つの発光比率がＡ灯：Ｂ灯＝１：８に設定された場合にも警告表示が行われる。この場合は、Ａ灯４ａとＢ灯４ｂの左右２つの合成発光量が最大光量に設定され、コンデンサに蓄えられた全エネルギーを用いてＡ灯４ａとＢ灯４ｂの左右２つを発光させる状態である。この場合にもＡ灯４ａとＢ灯４ｂに発光量の差をつけることができない。
【００４０】
図７は、このような不適正な組合せについて説明するための、Ａ灯４ａとＢ灯４ｂの左右２つの発光比率、フル発光量に対する光量比、及びＡ灯４ａとＢ灯４ｂのそれぞれの発光量（ガイドナンバ）の関係を示す図である。ここで、図７のＧＮＡの数値がＡ灯４ａのガイドナンバを示し、ＧＮＢの数値がＢ灯４ｂのガイドナンバを示す。
【００４１】
図７の網掛け領域２００が、上記したＡ灯４ａとＢ灯４ｂの左右２つの発光比率とフル発光量に対する光量比の組合せとが不適切な状態である。即ち、ユーザによって設定されたＡ灯４ａとＢ灯４ｂの左右２つの発光比率と、フル発光量に対する光量比とで決定されるＡ灯４ａとＢ灯４ｂのガイドナンバが網掛け領域２００内にある場合には、図６（ａ）や図６（ｂ）のような警告表示が行われる。また、本一実施形態では、このような不適正な組合せで設定がなされた場合には、これらの組合せが適正になるように、Ａ灯４ａとＢ灯４ｂの左右２つの発光比率又はＡ灯４ａとＢ灯４ｂの左右２つの合成発光量の少なくとも何れか一方の量が補正される。
【００４２】
このような補正は、例えばユーザによって設定されたＡ灯４ａとＢ灯４ｂの左右２つの合成発光量を維持した状態でＡ灯４ａとＢ灯４ｂの左右２つの発光比率を補正するようにすれば良い。例えば、図６（ａ）の例を補正する場合には、ユーザによって設定されたＡ灯４ａとＢ灯４ｂの左右２つの合成発光量（フル発光量に対する光量比１/５１２）を維持した状態で適正な露光が得られるようにＡ灯４ａとＢ灯４ｂの左右２つの発光比率を補正する。即ち、図６（ａ）の例においては、Ａ灯４ａとＢ灯４ｂの左右２つの発光比率が１：１となる。同様に、図６（ｂ）の例を補正する場合には、ユーザによって設定されたＡ灯４ａとＢ灯４ｂの左右２つの合成発光量（フル発光量に対する光量比１/１）を維持した状態で適正な露光が得られるようにＡ灯４ａとＢ灯４ｂの左右２つの発光比率が１：１に変更される。
【００４３】
また、上記補正は、図８のような考え方に基づいて行うようにしても良い。これは、カメラ側で許容される光量の範囲内でＡ灯４ａとＢ灯４ｂの左右２つの合成発光量を変化させた後に、Ａ灯４ａとＢ灯４ｂの左右２つの発光比率を補正するというものである。このカメラ側で許容される光量の範囲内とは、例えば、銀塩カメラの場合は銀塩フィルムの種類等に応じて設定される光量の範囲内であり、デジタルカメラの場合はＣＣＤの種類等に応じて設定される光量の範囲内である。これらの光量の範囲に関する情報は、カメラ側から本ストロボ装置に通信される。
【００４４】
例えば、図６（ａ）の例を補正する場合には、ユーザによって設定されたＡ灯４ａとＢ灯４ｂの左右２つの発光比率１：８を維持した状態で、カメラ側で許容されるレベルまでＡ灯４ａとＢ灯４ｂの左右２つの合成発光量を上げた後（例ではフル発光量に対する光量比１/２５６）、Ａ灯４ａとＢ灯４ｂの左右２つの合成発光量とＡ灯４ａとＢ灯４ｂの左右２つの発光比率の組合せが適性になるようにＡ灯４ａとＢ灯４ｂの左右２つの発光比率を補正する。また、図６（ｂ）の例を補正する場合には、ユーザによって設定されたＡ灯４ａとＢ灯４ｂの左右２つの発光比率１：８を維持した状態で、カメラ側で許容されるレベルまでＡ灯４ａとＢ灯４ｂの左右２つの合成発光量を落とした後（例ではフル発光量に対するフル発光量に対する光量比１/１．５）、Ａ灯４ａとＢ灯４ｂの左右２つの合成発光量とＡ灯４ａとＢ灯４ｂの左右２つの発光比率の組合せが適性になるようにＡ灯４ａとＢ灯４ｂの左右２つの発光比率を補正する。このような考え方によれば、図６（ａ）や図６（ｂ）の場合であってもＡ灯４ａとＢ灯４ｂの左右２つの発光比率が１：１に変更されずに、Ａ灯４ａの発光量とＢ灯４ｂの発光量に差をつけることができる。
【００４５】
以上説明したように、本一実施形態によれば、ユーザが操作しやすいような位置、即ちコントロール部の背面の下部に２つのセレクトダイヤルを横並びで配置し、これら２つのセレクトダイヤルを用いてＡ灯４ａとＢ灯４ｂの左右２つの合成発光量とＡ灯４ａとＢ灯４ｂの左右２つの発光比率とを設定できるようにしたので、Ａ灯４ａとＢ灯４ｂの左右２つの発光量をそれぞれ設定するよりも分かりやすい。
【００４６】
また、表示パネル１３上に、Ａ灯４ａとＢ灯４ｂの左右２つの発光比率を実際の数値で示す数値表示とＡ灯４ａとＢ灯４ｂの左右２つの発光比率のバランスをグラフィカルな表示で示す指標表示とを行うようにしたので、設定されたＡ灯４ａとＢ灯４ｂの左右２つの発光比率を直感的に理解することができると共に実際の数値としても容易に理解することができる。
【００４７】
また、発光部の単灯発光と２灯発光とを１個のセレクトダイヤルの回転操作のみで切り換えることができるので操作性が良い。
【００４８】
また、ユーザによって不適正な操作がなされた場合には、警告表示を行うようにしているので、ユーザが分かりやすい。更に、ユーザによって不適正な操作がなされた場合には、警告表示だけでなく、適正な状態でストロボ発光できるように制御がなされるので、使い勝手が良い。
【００４９】
以上実施形態に基づいて本発明を説明したが、本発明は上記した実施形態に限定されるものではなく、本発明の要旨の範囲内で種々の変形や応用が可能なことは勿論である。例えば、指標表示１３ｄの表示形態はあくまでも一例であり、種々の変更が考えられる。例えば、図９（ａ）に示すように、２つの発光部の左右２つの発光比率を縦長のバー表示とすれば、２つの発光部の左右２つの発光比率に差があることをユーザが認識しやすい。また、指標表示１３ｄを図９（ｂ）に示すような環状表示としても良い。
【００５０】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５１】
【図１】本発明の一実施形態に係るストロボ装置の外観斜視図である。
【図２】ストロボ装置の内部構成について示すブロック図である。
【図３】コントロール部の背面図である。
【図４】セレクトダイヤルの配置について説明するための図である。
【図５】左右２つの発光比率の設定時において液晶パネル上になされる表示形態について示した図である。
【図６】警告表示について示した図である。
【図７】不適正な設定がなされた場合の補正について説明するための第１の例について示す図である。
【図８】不適正な設定がなされた場合の補正について説明するための第２の例について示す図である。
【図９】指標表示の変形例について示す図である。
【符号の説明】
【００５２】
１…コントロール部、２ａ，２ｂ…接続部、４ａ…Ａ灯、４ｂ…Ｂ灯、１１…ＣＰＵ、１２…発光制御回路、１３…液晶表示回路（表示パネル）、１３ａ…発光部表示、１３ｂ…ストロボモード表示、１３ｃ…数値表示、１３ｄ…指標表示、１３ｅ…光量比表示、１４…入力スイッチ群、１５，１６…セレクトダイヤル、１７…モード（MODE）釦、１８…ランプ（LAMP）釦、１９ａ…テスト（TEST）釦、１９ｂ…チャージ（CHARGE）表示用ランプ、２０…ＯＮ/ＯＦＦ釦、２１…ライト（LIGHT）釦、２２…オートチェック（AUTO CHECK）表示用ランプ
【図１】
2005215366.tif 000003
【図２】
2005215366.tif 000004
【図３】
2005215366.tif 000005
【図４】
2005215366.tif 000006
【図５】
2005215366.tif 000007
【図６】
2005215366.tif 000008
【図７】
2005215366.tif 000009
【図８】
2005215366.tif 000010
【図９】
2005215366.tif 000011